(57)【要約】【課題】美観を損なわずに設置することが可能であり、かつ、異常の発生を外部に報知することが可能な照明装置を提供する。【解決手段】制御部１４は、受信部１３からアラーム信号を受け付ける前は、発光部１１に所定の光を発生させる。また、制御部１４は、受信部１３からアラーム信号を受け付けると、所定の光と異なる光を発光部１１に発生させる。【選択図】図１
2007242446.tif 000002
【特許請求の範囲】
【請求項１】
光を発生する発光部と、
異常が発生した旨のアラーム信号を受け付け、前記アラーム信号を出力する受付部と、
前記受付部から前記アラーム信号を受け付ける前は、前記発光部に所定の光を発生させ、前記受信部から前記アラーム信号を受け付けると、前記所定の光と異なる光を前記発光部に発生させる制御部と、を含む照明装置。
【請求項２】
請求項１に記載の照明装置において、
音を出力する音声出力部をさらに含み、
前記制御部は、前記受信部から前記アラーム信号を受け付けると、警報音を前記音声出力部に出力させる、照明装置。
【請求項３】
請求項１または２に記載の照明装置と、前記照明装置と接続されたリモコン装置と、を含む照明システムであって、
前記リモコン装置は、
所定の操作を検知する操作検知部と、
前記操作検知部にて前記所定の操作が検知されると、異常が発生した旨のアラーム信号を前記照明装置に出力するリモコン制御部と、を含み、
前記照明装置の受付部は、前記リモコン制御部が出力したアラーム信号を受け付ける、照明システム。
【請求項４】
請求項３に記載の照明システムにおいて、
前記リモコン装置は、異常の発生を検知する異常検知センサと接続され、
前記リモコン制御部は、前記異常検知センサが前記異常の発生を検知すると、前記アラーム信号を前記照明装置に出力する、照明システム。
【請求項５】
請求項４に記載に照明システムにおいて、
前記リモコン装置は、前記異常検知センサと電力線通信にて接続される、照明システム。
【請求項６】
請求項３ないし５のいずれか１項に記載に照明システムにおいて、
前記照明装置は、前記リモコン装置と電力線通信にて接続される、照明システム。
【請求項７】
光を発生する発光部を含む照明装置が行う異常報知方法であって、
異常が発生した旨のアラーム信号を受け付ける受付ステップと、
前記アラーム信号が受け付けられる前は、前記発光部に所定の光を発生させ、前記アラーム信号が受け付けられると、前記所定の光と異なる光を前記発光部に発生させる発生ステップと、を含む異常報知方法。
【請求項８】
請求項７に記載の異常報知方法において、
前記照明装置は、音を出力する音声出力部をさらに含み、
前記アラーム信号が受け付けられると、警報音を前記音声出力部に出力させる音声出力ステップと、をさらに含む異常報知方法。
【請求項９】
請求項１または２に記載の照明装置と、前記照明装置と接続されたリモコン装置と、を含む照明システムが行う異常報知方法であって、
前記リモコン装置が、所定の操作を検知する操作検知ステップと、
前記リモコン装置が、前記所定の操作が検知されると、異常が発生した旨のアラーム信号を前記照明装置に出力する出力ステップと、
前記照明装置が、前記出力されたアラーム信号を受け付ける受信ステップと、を含む異常報知方法。
【請求項１０】
請求項８に記載の異常報知方法において、
前記リモコン装置は、異常の発生を検知する異常検知センサと接続され、
前記リモコン装置が、前記異常検知センサが前記異常の発生を検知すると、前記アラーム信号を前記照明装置に出力する送信ステップ、をさらに含む異常報知方法。
【発明の詳細な説明】
【技術分野】
【０００１】
本発明は、異常の発生を外部に報知することが可能な照明装置、照明システムおよび異常報知方法に関する。
【背景技術】
【０００２】
例えば、屋内で異常が発生した場合、住居人は、消防署または警察署などに、電話などの通信装置を用いて、異常の発生を通報することが一般的である。なお、異常は、火災、不審者の侵入または住居人の急病などである。
【０００３】
住居人が、高齢者、障害者または病人などの場合、住居人が速やかに異常の発生を通報することが困難な場合がある。例えば、住居人は、異常が発生してから、その異常を察知するまでに時間がかかる場合がある。また、住居人は、異常を察知しても、通信装置の操作が困難な場合がある。
【０００４】
このような場合、住居人が警備会社に異常の検知などを依頼することが考えられる。しかしながら、警備会社との契約料など、住居人にとって、経済的な負担が大きい。
【０００５】
また、窓センサ、ガスセンサまたは火災センサなどのセンサを住居人が設ける対処法がある。しかしながら、この方法では、住居人に異常の発生を報知することが可能であっても、近隣など外部に異常の発生を報知することができなかった。
【０００６】
また、異常の発生を外部に報知することが可能な方法として、庭などの、外部から良く見える場所に回転灯などを設置する方法がある。この場合、異常が発生すると、回転灯が発光して、異常の発生を外部に報知する。
【０００７】
これにより、異常の発生を外部に報知することが可能になっている。
【発明の開示】
【発明が解決しようとする課題】
【０００８】
異常の発生を外部に報知するためだけに回転灯が設置されると、通常時には、その回転灯が周囲の美観を損ねる可能性がある。
【０００９】
本発明の目的は、美観を損なわずに設置することが可能であり、かつ、異常の発生を外部に報知することが可能な照明装置、照明システムおよび異常報知方法を提供することである。
【課題を解決するための手段】
【００１０】
前記目的を達成するために、本発明の照明装置は、光を発生する発光部と、異常が発生した旨のアラーム信号を受け付け、前記アラーム信号を出力する受付部と、前記受付部から前記アラーム信号を受け付ける前は、前記発光部に所定の光を発生させ、前記受信部から前記アラーム信号を受け付けると、前記所定の光と異なる光を前記発光部に発生させる制御部と、を含む。
【００１１】
また、本発明の異常報知方法は、光を発生する発光部を含む照明装置が行う異常報知方法であって、異常が発生した旨のアラーム信号を受け付ける受付ステップと、前記アラーム信号が受け付けられる前は、前記発光部に所定の光を発生させ、前記アラーム信号が受け付けられると、前記所定の光と異なる光を前記発光部に発生させる発生ステップと、を含む。
【００１２】
上記の発明によれば、異常が発生する前は、所定の光が発生される。また、異常が発生すると、所定の光と異なる光が発生される。
【００１３】
このため、照明装置を、例えば、外灯または装飾用の照明器具として用いるなど、異常が発生していない場合でも使用することが可能になり、美観を損なわずに照明装置を設置することが可能になる。
【００１４】
また、照明装置が外部から見える場所に設置され、かつ、所定の光と異なる光が異常の発生を報知するのに適した光であれば、異常の発生を外部に報知することが可能になる。
【００１５】
よって、美観を損なわずに設置することが可能であり、かつ、異常の発生を外部に報知することが可能になる。
【００１６】
また、音を出力する音声出力部をさらに含み、前記制御部は、前記受信部から前記アラーム信号を受け付けると、警報音を前記音声出力部に出力させることが望ましい。
【００１７】
このため、異常の発生を音でも外部に報知することが可能になる。
【００１８】
また、本発明の照明システムは、前記照明装置と、前記照明装置と接続されたリモコン装置と、を含む照明システムであって、前記リモコン装置は、所定の操作を検知する操作検知部と、前記操作検知部にて前記所定の操作が検知されると、異常が発生した旨のアラーム信号を前記照明装置に出力するリモコン制御部と、を含み、前記照明装置の受付部は、前記リモコン制御部が出力したアラーム信号を受け付ける。
【００１９】
また、本発明の異常報知方法は、前記照明装置と、前記照明装置と接続されたリモコン装置と、を含む照明システムが行う異常報知方法であって、前記リモコン装置が、所定の操作を検知する操作検知ステップと、前記リモコン装置が、前記所定の操作が検知されると、異常が発生した旨のアラーム信号を前記照明装置に出力する出力ステップと、前記照明装置が、前記出力されたアラーム信号を受け付ける受信ステップと、を含む。
【００２０】
上記の発明によれば、リモコン装置で所定の操作が検知されると、アラーム信号が照明装置に出力される。
【００２１】
このため、ユーザは、照明装置に近寄らなくても、異常の発生を外部に報知することが可能になり、ユーザは容易に異常の発生を外部に報知することが可能になる。
【００２２】
また、前記リモコン装置は、異常の発生を検知する異常検知センサと接続され、前記リモコン制御部は、前記異常検知センサが前記異常の発生を検知すると、前記アラーム信号を前記照明装置に出力することが望ましい。
【００２３】
上記の発明によれば、異常の発生が検知されると、アラーム信号が出力される。このため、異常が発生すると、自動的に異常の発生を外部に報知することが可能になる。
【００２４】
また、前記リモコン装置は、前記異常検知センサと電力線通信にて接続されることが望ましい。
【００２５】
また、前記照明装置は、前記リモコン装置と電力線通信にて接続されることが望ましい。
【００２６】
上記の発明によれば、通信線が新たに設けられなくても、商用電力の電源配線を用いて通信を行うことが可能になる。このため、照明システムの設置のためのコストを軽減することが可能になる。
【発明の効果】
【００２７】
本発明によれば、美観を損なわずに設置することが可能になり、かつ、異常の発生を外部に報知することが可能になる。
【発明を実施するための最良の形態】
【００２８】
以下、本発明の実施例について図面を参照して説明する。
【００２９】
図１は、本発明の一実施例の照明システムを示した回路図である。
【００３０】
図１において、照明システムは、リモコン装置１と、照明装置１０とを含む。リモコン装置１は、屋内に設置され、照明装置１０は、屋外に設置される。
【００３１】
また、リモコン装置１および照明装置１０は、接続線１００を介して接続される。なお、接続線１００は、通信線および電源線を含む。
【００３２】
リモコン装置１は、操作部２と、異常スイッチ３と、電源部４と、警報発音部５と、制御回路６と、通信部７とを含む。
【００３３】
操作部２は、照明装置の設定を示す設定情報を受け付けると、その設定情報を制御回路６に出力する。設定情報は、具体的には、照明装置の発光色および光量を示す。また、操作部２は、例えば、キーパッドである。
【００３４】
異常スイッチ３は、所定の操作（例えば、押下）を検知すると、所定の操作を検知した旨の操作検知信号を制御回路６に出力する。なお、ユーザは、異常を察知すると、異常スイッチ３に所定の操作を行う。
【００３５】
電源部４は、商用電力の電源配線から電力を取得し、その電力を、操作部２、異常スイッチ３、警報発音部５、制御回路６、通信部７および照明装置１０に供給する。操作部２、異常スイッチ３、警報発音部５、制御回路６、通信部７および照明装置１０は、電源部４から供給された電力で動作する。
【００３６】
警報発音部５は、例えば、スピーカであり、音（音声）を出力する。
【００３７】
制御回路６は、操作部２から設定情報を受け付けると、その設定情報を照明装置１０に出力する。
【００３８】
また、制御回路６は、異常スイッチ３から操作検知信号を受け付けると、異常が発生した旨のアラーム信号を照明装置１０に出力し、警報発音部５に警報音を出力させる。なお、警報音は、外部に異常の発生を報知することが可能な音である。また、制御回路６は、警報音として、「異常発生」などの合成音声が用いられても良い。
【００３９】
照明装置１０は、発光部１１と、警報発音部１２と、受信部１３と、制御部１４とを含む。
【００４０】
発光部１１は、光を発生する。
【００４１】
また、発光部１１は、それぞれ異なる色で発光する複数のＬＥＤを含む。以下では、発光部１１は、ＬＥＤ１１ａないし１１ｃを含むことにする。
【００４２】
ＬＥＤ１１ａないし１１ｃは、それぞれ、異なる色で発光する。以下では、ＬＥＤ１１ａを、赤色ＬＥＤとし、ＬＥＤ１１ｂを、緑色ＬＥＤとし、ＬＥＤ１１ｃを、青色ＬＥＤとする。なお、発光部１１は、ＬＥＤ１１ａないし１１ｃの光量に応じて、様々な発光色で発光することが可能になる。
【００４３】
警報発音部１２は、例えば、スピーカであり、音を出力する。
【００４４】
受信部１３は、リモコン装置１からアラーム信号および設定情報を受け付けると、そのアラーム信号および設定情報を制御部１４に出力する。
【００４５】
制御部１４は、発光部１１および警報発音部１２を制御する。
【００４６】
具体的には、制御部１４は、通常時では、所定の光を発光部１１に発生させる。なお、通常時とは、制御部１４が受信部１３からアラーム信号を受け付ける前のことであるである。また、所定の光は、自己に設定された発光色および光量の光である。
【００４７】
制御部１４は、受信部１３からアラーム信号を受け付けると、所定の光と異なる光を発光部１１に発生させる。以下では、所定の光と異なる光を警報光という。また、警報光は、例えば、フラッシュまたは強い赤色光である。なお、警報光がフラッシュの場合、制御部１４は、発光部１１にフラッシュを断続的に発生させることが望ましい。
【００４８】
制御部１４は、電流制御部１５と、スイッチ部１６と、制御回路１７とを含む。
【００４９】
電流制御部１５は、制御回路１７にて制御され、発光部１１に供給する電流の値を制御する。
【００５０】
電流制御部１５は、電流制御回路１５ａないし１５ｃを含む。
【００５１】
電流制御回路１５ａは、ＬＥＤ１１ａに供給する電流の値を制御する。電流制御回路１５ｂは、ＬＥＤ１１ｂに供給する電流の値を制御する。電流制御回路１５ｃは、ＬＥＤ１１ｃに供給する電流の値を制御する。
【００５２】
具体的には、電流制御回路１５ａないし１５ｃは、第一電流値を示す第一電流制御信号を受け付けると、第一電流値の電流をＬＥＤ１１ａないし１１ｃに供給する。
【００５３】
また、電流制御回路１５ａないし１５ｃは、第二電流値を示す第二電流制御信号を受け付けると、第二電流値の電流をＬＥＤ１１ａないし１１ｃに供給する。なお、第二電流値は、第一電流値より大きいとする。
【００５４】
スイッチ部１６は、発光部１１（具体的には、ＬＥＤ１１ａないし１１ｃ）に電流を供給または遮断する。
【００５５】
ＬＥＤへの電流の供給および遮断が繰り返されると、ＬＥＤは、点灯および消灯を繰り返す。ＬＥＤの点灯および消灯の時間間隔が短いと、人間には、ＬＥＤが常に点灯していると感じられる。
【００５６】
この場合、デューティ比に応じてＬＥＤ発光部２の光量が変化する。デューティ比は、パルス幅と、スイッチング周期との比率である。また、パルス幅は、ＬＥＤに電流が供給されている時間である。また。スイッチング周期は、ＬＥＤに電力が供給された時刻から、次にＬＥＤに電力が供給された時刻までの時間である。
【００５７】
なお、スイッチ部１６は、制御回路１７からＰＷＭ信号を受け付け、そのＰＷＭ信号に従って、発光部１１に電流を供給または遮断する。なお、ＰＷＭ信号は、パルス幅を示す。
【００５８】
スイッチ部１６は、ＰＷＭスイッチ１６ａないし１６ｃを含む。
【００５９】
ＰＷＭスイッチ１６ａは、ＬＥＤ１１ａに電流を供給または遮断する。ＰＷＭスイッチ１６ｂは、ＬＥＤ１１ｂに電流を供給または遮断する。ＰＷＭスイッチ１６ｃは、ＬＥＤ１１ｃに電流を供給または遮断する。
【００６０】
制御回路１７は、発光部１１の発光色および光量が設定されている。
【００６１】
また、制御回路１７は、電流制御部１５およびスイッチ部１６を制御して、発光部１１の発光色および光量を制御する。
【００６２】
制御回路１７は、通常時では所定の光を発光部１１が発生するように、電流制御部１５およびスイッチ部１６を制御する。換言すれば、制御回路１７は、自己に設定された発光色および光量の光を発光部１１が発生するように、電流制御部１５およびスイッチ部１６を制御する。
【００６３】
具体的には、制御回路１７は、第一電流制御信号を電流制御回路１５ａないし１５ｃに出力すると共に、自己に設定された発光色および光量の光を発光部１１が発生するようなパルス幅のＰＷＭ信号をＰＷＭスイッチ１６ａないし１６ｃに出力する。
【００６４】
制御回路１７は、リモコン装置１（具体的には、制御回路６）から設定情報を受け付けると、その設定情報が示す発光色および光量を自己に設定する。また、制御回路１７は、その設定情報が示す発光色および光量の光を発光部１１が発生するように、電流制御部１５およびスイッチ部１６を制御する。
【００６５】
具体的には、先ず、制御回路１７は、設定情報が示す発光色および光量に応じたＰＷＭ信号をＰＷＭスイッチ１６ａないし１６ｃごとに生成する。さらに言えば、制御回路１７は、その発光色および光量の光を発光部１１が発生するようなパルス幅のＰＷＭ信号を、ＰＷＭスイッチ１６ａないし１６ｃごとに生成する。
【００６６】
続いて、制御回路１７は、そのＰＷＭ信号をＰＷＭスイッチ１６ａないし１６ｃに出力する。
【００６７】
また、制御回路１７は、リモコン装置１（具体的には、制御回路６）からアラーム信号を受け付けると、発光部１１が警報光を発生するように、電流制御部１５およびスイッチ部１６を制御する。
【００６８】
例えば、警報光がフラッシュの場合、制御回路１７は、アラーム信号を受け付けると、電流制御回路１４に第二電流制御信号を出力する。また、制御回路１７は、所定のパルス幅を示すＰＷＭ信号をスイッチ部１６に出力する。
【００６９】
これにより、制御回路１７は、発光部１１にフラッシュ点滅させることが可能になり、外部に異常の発生を報知することが可能になる。なお、フラッシュ点滅は、フラッシュの断続的な発生である。
【００７０】
また、警報光が強い赤色光の場合、制御回路１７は、ＬＥＤ１１ａに第二電流制御信号を出力する。また、制御回路１７は、スイッチング周期と同じ値のパルス幅を示すＰＷＭ信号をＰＷＭスイッチ１６ａに出力し、かつ、ＰＷＭスイッチ１６ｂおよび１５へのＰＷＭ信号の出力を停止する。
【００７１】
これにより、強い赤色光で外部に異常の発生を報知することが可能になる。
【００７２】
また、制御回路１７は、アラーム信号を受け付けると、警報発音部１２に警報音を発生させる。
【００７３】
次に、照明システムの設置例について説明する。
【００７４】
図２ａないし図２ｃは、照明システムの設置例を示した平面図である。図２ａないし図２ｃにおいて、図１と同一のものについては、同一の符号が付してある。
【００７５】
図２ａは、庭に設置された照明システムの一例を示した平面図である。なお、図２ａにおいて、図１と同一のものについては同一の符号が付してある。
【００７６】
図２ａでは、リモコン装置１と、異常スイッチ３と、照明装置１０と、発光部１１と、接続線１００とが示されている。
【００７７】
照明装置１０は、庭に設置されている。なお、照明装置１０の下部に杭状の支柱が設けられる。照明装置１０は、その支柱が地面に刺さることで、固定されている。また、リモコン装置１は、屋内に設置される。
【００７８】
通常時では、照明装置１０が外灯として用いられる。また、異常が発生すると、ユーザは、異常スイッチ３に所定の操作を行い、照明装置に警報光を発生させる。
【００７９】
図２ｂは、照明装置が軒先に設置された照明システムの一例を示した平面図である。
【００８０】
図２ｂには、リモコン装置１と、異常スイッチ３と、照明装置１０と、発光部１１と、接続線１００とが示されている。
【００８１】
照明装置１０は、軒先に設けられている。
【００８２】
図２ｃは、発光部が透明チューブ内に設けられた照明システムに一例を示した平面図である。
【００８３】
図２ｃには、リモコン装置１と、異常スイッチ３と、照明装置１０と、発光部１１と、接続線１００とが示されている。
【００８４】
発光部１１は、透明チューブ内に設けられる。また、透明チューブは、樹木に巻きつけられている。これにより、照明装置１０が、装飾用の照明器具として用いられる。
【００８５】
次に、照明システムの動作を説明する。
【００８６】
図３は、照明システムが異常の発生を外部に報知する動作を説明するためのフローチャートである。
【００８７】
リモコン装置１の異常スイッチ３は、所定の操作を検知すると、ステップＳ３０１を実行する。
【００８８】
ステップＳ３０１では、異常スイッチ３は、操作検知信号を制御回路６に出力する。制御回路６は、操作検知信号を受け付けると、ステップＳ３０２を実行する。
【００８９】
ステップＳ３０２では、制御回路６は、警報発音部５に警報音を発生させるとともに、アラーム信号を、通信部７および接続線１００を介して、照明装置１０の制御回路１７に出力する。制御回路１７は、アラーム信号を受け付けると、ステップＳ３０３を実行する。
【００９０】
ステップＳ３０３では、制御回路１７は、発光部１１が警報光を発生するように、電流制御部１５およびスイッチ部１６を制御すると共に、警報発音部１２に警報音を発生させる。
【００９１】
本実施例によれば、制御部１４は、受信部１３からアラーム信号を受け付ける前（通常時）は、発光部１１に所定の光を発生させる。また、制御部１４は、受信部１３からアラーム信号を受け付けると、所定の光と異なる光（警報光）を発光部１１に発生させる。
【００９２】
この場合、異常が発生する前は、所定の光が発生される。また、異常が発生すると、所定の光と異なる光が発生される。
【００９３】
このため、照明装置１０を、例えば、外灯または装飾用の照明器具として用いるなど、異常が発生していない場合でも使用することが可能になり、美観を損なわずに照明装置１０を設置することが可能になる。
【００９４】
また、照明装置１０が外部から見える場所に設置され、かつ、所定の光と異なる光が異常の発生を報知するのに適した光であれば、異常の発生を外部に報知することが可能になる。
【００９５】
よって、美観を損なわずに設置することが可能であり、かつ、異常の発生を外部に報知することが可能になる。
【００９６】
また、本実施例では、制御部１４は、受信部１３からアラーム信号を受け付けると、警報発音部に警報音を出力させる。
【００９７】
この場合、異常の発生を音でも外部に報知することが可能になる。
【００９８】
また、本実施例では、異常スイッチ３は、所定の操作を検知する。制御回路６は、異常スイッチ３が所定の操作を検知すると、アラーム信号を照明装置１０に出力する。照明装置１０の受信部１３
この場合、ユーザは、照明装置に近寄らなくても、異常の発生を外部に報知することが可能になり、ユーザは容易に異常の発生を外部に報知することが可能になる。
【００９９】
次に、リモコン装置が異常検知センサと接続された照明システムについて説明する。
【０１００】
図４は、リモコン装置が異常検知センサと接続された照明システムを示した平面図である。なお、図４において、図１と同一のものについては、同一の符号が付してある。
【０１０１】
図４には、リモコン装置１と、異常スイッチ３と、照明装置１０と、接続線１００と、異常検知センサ２００と、接続線３００とが示されている。なお、リモコン装置１および異常検知センサ２００は、接続線３００を介して相互に接続される。
【０１０２】
異常検知センサ２００は、異常の発生を検知すると、異常の発生を検知した旨の異常検知信号をリモコン装置１に接続線３００を介して出力する。
【０１０３】
異常検知センサ２００は、侵入者センサ２０１と、ガスセンサ２０２と、火災センサ２０３とを含む。
【０１０４】
侵入者センサ２０１は、例えば、人感センサであり、侵入者を検知すると、侵入者を検知した旨の侵入者検知信号をリモコン装置１に出力する。
【０１０５】
ガスセンサ２０２は、被検知ガスを検知すると、被検知ガスを検知した旨のガス検知信号をリモコン装置１に出力する。
【０１０６】
火災センサ２０３は、例えば、感熱センサであり、火災の発生を検知すると、火災の発生を検知した旨の火災検知信号をリモコン装置１に出力する。
【０１０７】
なお、侵入者検知信号、ガス検知信号および火災検知信号は、異常検知信号である。
【０１０８】
リモコン装置１（具体的には、制御回路６）は、異常検知センサから異常検知信号を受け付けると、アラーム信号を照明装置１０（具体的には、制御回路１７）に出力する。制御回路１７は、アラーム信号を受け付けると、発光部１１が警報光を発生するように、電流制御部１５およびスイッチ部１６を制御すると共に、警報発音部１２に警報音を発生させる。
【０１０９】
本実施例では、リモコン装置１は、異常検知センサ２００と接続される。制御回路１７は、異常検知センサが異常を検知すると、アラーム信号を照明装置２００に出力する。
【０１１０】
この場合、異常が発生すると、自動的に異常の発生を外部に報知することが可能になる。
【０１１１】
次に、電力線通信が利用された照明システムを説明する。
【０１１２】
電力線通信とは、商用電力の配電線が通信線として用いられ、その配電線を介して通信が行われる通信形態である。
【０１１３】
電力線通信では、送信装置および受信装置が、例えば、ＡＣ１００Ｖの配電線を介して接続される。送信装置は、通信信号を、配電線を介して受信装置に出力する。受信装置は、送信装置が送信した通信信号を、配電線から受け付ける。
【０１１４】
したがって、配電線と通信線とが兼用されるため、新たに通信線を設置する必要がない。このため、電力線通信は、屋内などの狭い領域での通信手段として用いられることが多い。
【０１１５】
また、電力線通信では、送信装置が出力した通信信号が外部に流出する可能性がある。また、雑音となる通信信号が外部から流入する可能性がある。このため、通信信号の流出入を防ぐために、例えば、電柱から電力を受電する電源受電装置に通信信号を除去するフィルタなどが設けられる。
【０１１６】
図５ａないし図５ｃは、電力線通信が利用された照明システムの構成を示した平面図である。
【０１１７】
図５ａは、リモコン装置および照明装置が電力線通信で接続された照明システムの構成を示した平面図である。なお、図５ａにおいて、図１ないし図２ｃおよび図４と同一のものには、同一の符号が付してある。
【０１１８】
図５ａでは、リモコン装置１と、異常スイッチ３と、照明装置１０と、侵入者センサ２０１と、ガスセンサ２０２と、火災センサ２０３と、接続線３００と、電源線４００および４０１と、電源配線４１０とが示されている。
【０１１９】
リモコン装置１および照明装置１０は、電源線４００および４０１と電源配線４１０とを介して相互に接続される。
【０１２０】
具体的には、リモコン装置１および電源配線４１０は、電源線４０１を介して相互に接続される。また、照明装置１０および電源配線４１０は、電源線４００を介して相互に接続される。
【０１２１】
リモコン装置１は、アラーム信号および設定情報を、電源線４００および４０１と電源配線４１０とを介して照明装置１０に出力する。
【０１２２】
なお、電源線４００および４０１の片端にはプラグが設けられ、コンセントを介して電源配線４１０と接続される。また、電源配線４１０は、商用電力の配電線である。
【０１２３】
本実施例では、照明装置１０は、リモコン装置１と電力線通信にて接続される。
【０１２４】
この場合、通信線が新たに設けられなくても、商用電力の電源配線で通信を行うことが可能になる。このため、照明システムの設置のためのコストを軽減することが可能になる。
【０１２５】
図５ｂは、リモコン装置および異常センサが電力線通信で接続された照明システムの構成を示した平面図である。図５ｂにおいて、図５ａと同一のものには、同一の符号が付してある。
【０１２６】
図５ｂでは、リモコン装置１と、異常スイッチ３と、照明装置１０と、侵入者センサ２０１と、ガスセンサ２０２と、火災センサ２０３と、接続線３００と、電源線４００および４０４と、電源配線４１０とが示されている。
【０１２７】
侵入者センサ２０１および電源配線４１０は、電源線４０２を介して相互に接続される。ガスセンサ２０２および電源配線４１０は、電源線４０３を介して相互に接続される。火災センサ２０３および電源配線４１０は、電源線４０４を介して相互に接続される。
【０１２８】
異常検知センサ（侵入者センサ２０１、ガスセンサ２０２および火災センサ２０３）は、異常を検知すると、異常検知信号を、電源配線４１０を介してリモコン装置１に出力する。
【０１２９】
なお、電源線４０２ないし４０４の片端にはプラグが設けられ、コンセントを介して電源配線４１０と接続される。
【０１３０】
本実施例では、リモコン装置１は、異常検知センサ２００と、電力線通信にて接続される。
【０１３１】
この場合、通信線が新たに設けられなくても、商用電力の電源配線で通信を行うことが可能になる。このため、照明システムの設置のための費用を軽減することが可能になる。
【０１３２】
次に、管理装置を含む照明システムについて説明する。
【０１３３】
図５ｃは、管理装置を含む照明システムを示した平面図である。なお、図５ｃにおいて、図５ｂの同一のものには同一の符号が付してある。
【０１３４】
図５ｃでは、リモコン装置１と、異常スイッチ３と、照明装置１０と、侵入者センサ２０１と、ガスセンサ２０２と、火災センサ２０３と、接続線３００と、電源線４００および４０５と、電源配線４１０と、管理装置４２０とが示されている。
【０１３５】
管理装置４２０および電源配線４１０は、電源線４０５を介して相互に接続される。
【０１３６】
異常検知センサ（侵入者センサ２０１、ガスセンサ２０２および火災センサ２０３）は、異常を検知すると、異常検知信号を、電源配線４１０を介して管理装置４２０に出力する。
【０１３７】
管理装置４２０は、所定の通信網（図示せず）に接続される。なお、所定の通信網は、例えば、電話網である。
【０１３８】
管理装置４２０は、異常検知信号を受け付けると、その異常検知信号に応じた管理処理を行う。具体的には、管理装置４２０は、異常検知信号を受け付けると、その異常検知信号に応じて警察署または消防署などに通報する。
【０１３９】
また、管理装置４２０は、その異常検知信号に応じて照明装置１０を制御する。具体的には、管理装置４２０は、その異常検知信号に応じて、異常が発生した旨を外部に報知する旨の警報指示を作成し、その警報指示を、照明装置１０に出力する。
【０１４０】
例えば、異常検知信号が侵入者検知信号の場合、管理装置４２０は、警察署に不審者が侵入した旨を通報する。また、管理装置４２０は、不審者が侵入したことを外部の報知する旨の不審者警報指示を照明装置１０に出力する。
【０１４１】
また、異常検知信号がガス検知信号の場合、管理装置４２０は、ガスが漏洩した旨を消防署に通報する。さらに、管理装置４２０は、ガスが漏洩したことを外部に報知する旨のガス警報指示を照明装置１０に出力する。
【０１４２】
また、異常検知信号が火災検知信号の場合、管理装置４２０は、火災が発生した旨を消防署に通報する。さらに、管理装置４２０は、火災が発生したことを外部に報知する旨の火災警報指示を照明装置１０に出力する。
【０１４３】
なお、不審者警報指示、ガス警報指示および火災警報指示は、警報指示である。
【０１４４】
照明装置１０（具体的には、制御部１４）は、管理装置４２０から警報指示を受け付けると、その警報指示に応じて発光部１１および警報発音部１２を制御する。
【０１４５】
例えば、制御部１４は、その警報指示に応じた光量および発光色で発光部１１をフラッシュ点滅させる。
【０１４６】
また、制御部１４は、その警報指示に応じた警報音を警報発音部１２に発生させる。
【０１４７】
この場合、制御部１４は、不審者警報指示を受け付けると、警報音として「侵入者」を合成音声で出力させ、火災警報指示を受け付けると、警報音として「火災発生」を合成音声で出力させるなど、異常の発生を周囲に報知するだけでなく、異常の種類も周囲に報知することが可能になる。
【０１４８】
以上説明した実施例において、図示した構成は単なる一例であって、本発明はその構成に限定されるものではない。
【図面の簡単な説明】
【０１４９】
【図１】本発明の一実施例の照明システムを示した回路図である。
【図２ａ】照明システムの設置例を示した平面図である。
【図２ｂ】照明システムの他の設置例を示した平面図である。
【図２ｃ】照明システムの他の設置例を示した平面図である。
【図３】照明システムの動作を説明するためのフローチャートである。
【図４】照明システムの他の実施例を示した平面図である。
【図５ａ】照明システムの他の実施例を示した平面図である。
【図５ｂ】照明システムの他の実施例を示した平面図である。
【図５ｃ】照明システムの他の実施例を示した平面図である。
【符号の説明】
【０１５０】
１        リモコン装置
２        操作部
３        異常スイッチ
４        電源部
５        警報発音部
６        制御回路
７        通信部
１０      照明装置
１１      発光部
１２      警報発音部
１３      受信部
１４      制御部
１５      電流制御部
１６      スイッチ部
１００    接続線
２００    異常検知センサ
２０１    侵入者検知センサ
２０２    ガスセンサ
２０３    火災センサ
３００    接続線
４００    電源線
４０１    電源線
４０２    電源線
４０３    電源線
４０４    電源線
４０５    電源線
４１０    電源配線
４２０    管理装置
【図１】
2007242446.tif 000003
【図２ａ】
2007242446.tif 000004
【図２ｂ】
2007242446.tif 000005
【図２ｃ】
2007242446.tif 000006
【図３】
2007242446.tif 000007
【図４】
2007242446.tif 000008
【図５ａ】
2007242446.tif 000009
【図５ｂ】
2007242446.tif 000010
【図５ｃ】
2007242446.tif 000011